(57)【要約】【課題】平板形状と自立形状との双方に可変であるとともに、強度も強くて商品アピールも容易な包装体を提供する。【解決手段】包装体は、第１板部と、上記第１板部の表裏面のうち裏面側に位置し、当該第１板部と互いの上方箇所で繋がった第２板部と、上記第１板部および上記第２板部それぞれの下方箇所に両端が繋がり、当該両端の間に折り目を有する開閉部と、上記上方箇所から上記第１板部の表面側に垂れ下がった下垂部と、上記第１板部と上記下垂部との間に被包装物を保持する保持部と、を備える。【選択図】    図１
0003234865.tif 000002
【実用新案登録請求の範囲】
【請求項１】
第１板部と、
前記第１板部の表裏面のうち裏面側に位置し、当該第１板部と互いの上方箇所で繋がった第２板部と、
前記第１板部および前記第２板部それぞれの下方箇所に両端が繋がり、当該両端の間に折り目を有する開閉部と、
前記上方箇所から前記第１板部の表面側に垂れ下がった下垂部と、
前記第１板部と前記下垂部との間に被包装物を保持する保持部と、
を備えたことを特徴とする包装体。
【請求項２】
前記第１板部、前記開閉部、前記第２板部、および前記下垂部は、この順で繋がった１枚の部材が折り曲げられてなることを特徴とする請求項１に記載の包装体。
【請求項３】
前記上方箇所にフック掛け用の孔を有することを特徴とする請求項１または２に記載の包装体。
【請求項４】
前記保持部は、前記被包装物を包み前記第１板部と前記下垂部との間につり下げられた透明な袋であることを特徴とする請求項１から３のいずれか１項に記載の包装体。
【請求項５】
前記下垂部は、前記被包装物の下方の一部が露出する長さであることを特徴とする請求項１から４のいずれか１項に記載の包装体。
【考案の詳細な説明】
【技術分野】
【０００１】
本発明は、包装体に関する。
【背景技術】
【０００２】
従来、フック掛けや在庫に適した平板形状と、自立した陳列が可能な自立形状との双方に対応した包装体（パッケージ）が知られている。
例えば特許文献１には、平板形状に畳まれた状態と、足が開いて自立形状となった状態とに可変の包装体が提案されている。
【先行技術文献】
【特許文献】
【０００３】
【特許文献１】特開２０２０−１６４１９３号公報
【考案の概要】
【考案が解決しようとする課題】
【０００４】
しかしながら、上記特許文献１の包装体では、前枠部のスペースが狭く、筒状フィルムに包まれた被包装物が支持部に接合された構造であるため、被包装物を箱などで包んだ包装体に較べて商品アピールが難しく、強度も弱い。
一方で、被包装物を箱などで包んだ包装体の場合には被包装物の確認が難しく、在庫時や輸送時に大きなスペースが必要となる。
そこで本考案は、平板形状と自立形状との双方に可変であるとともに、強度も強くて商品アピールも容易な包装体を提供することを目的とする。
【課題を解決するための手段】
【０００５】
上記目的を達成する本考案の包装体は、第１板部と、上記第１板部の表裏面のうち裏面側に位置し、当該第１板部と互いの上方箇所で繋がった第２板部と、上記第１板部および上記第２板部それぞれの下方箇所に両端が繋がり、当該両端の間に折り目を有する開閉部と、上記上方箇所から上記第１板部の表面側に垂れ下がった下垂部と、上記第１板部と上記下垂部との間に被包装物を保持する保持部と、を備えたことを特徴とする。
【０００６】
上記包装体によれば、開閉部の開閉によって平板形状と自立形状との双方に形状が変更可能である。また、上記包装体によれば、第１板部および第２板部に切れ目が不要なので強度が強く、下垂部を十分に広く設けることができるので商品アピールも容易である。
【０００７】
上記包装体において、上記第１板部、上記開閉部、上記第２板部、および上記下垂部は、この順で繋がった１枚の部材が折り曲げられてなることが好ましい。１枚の部材の折り曲げによって容易に包装体を作成することができると共に強度も高い。
上記包装体において、上記上方箇所にフック掛け用の孔を有すると、フック掛けの陳列と自立陳列の双方に対応することができるので好ましい。
【０００８】
上記包装体において、上記保持部は、上記被包装物を包み上記第１板部と上記下垂部との間につり下げられた透明な袋であることが好ましい。この好ましい包装体によれば、被包装物が袋によってほこりなどから保護されるとともに、下垂部が持ち上げられることで容易に被包装物が確認される。
【０００９】
上記包装体において、上記下垂部は、上記被包装物の下方の一部が露出する長さであることも好ましい。このような長さの下垂部であると、下垂部を持ち上げることなく、被包装物の色などが確認できる。
【考案の効果】
【００１０】
本考案の包装体によれば、平板形状と自立形状との双方に可変であるとともに、強度も強くて商品アピールも容易である。
【図面の簡単な説明】
【００１１】
【図１】本実施形態の包装体（パッケージ）を示す斜視図である。
【図２】本実施形態の包装体を示す正面図である。
【図３】本実施形態の包装体を示す側面図である。
【図４】前板部と後板部とが互いに閉じた状態を示す図である。
【図５】商品が前板部に直接取り付けられた形態を示す図である。
【図６】パッケージの展開図である。
【考案を実施するための形態】
【００１２】
本考案の実施形態について以下図面を参照して説明する。なお、先の図で説明済みの要素については、後の図の説明時に適宜参照する場合がある。
図１〜図３は、本実施形態の包装体（パッケージ）を示す図である。図１には斜視図が示され、図２には正面図が示され、図３には側面図が示されている。
本実施形態のパッケージ１００は、一例として布状の商品１０１を展示販売するためのものである。商品１０１が本考案にいう被包装物の一例に相当する。
本実施形態のパッケージ１００は、前板部１０３と、後板部１０４と、開閉脚部１０５と、前カバー１０６とを備えている。
【００１３】
前板部１０３と後板部１０４は、本考案にいう第１板部と第２板部それぞれの一例に相当し、前板部１０３と後板部１０４が上部で鳩目１０７によって繋がれている。また、前板部１０３と後板部１０４は、下部が開閉脚部１０５によって繋がれている。
【００１４】
開閉脚部１０５は、本考案にいう開閉部の一例に相当し、前板部１０３と後板部１０４との間の折り目１０５ａで曲げ伸ばし可能となっており、開閉脚部１０５が伸びると、前板部１０３と後板部１０４とが互いに開いてパッケージ１００が三脚状に自立する。開閉脚部１０５が折り目１０５ａで曲がると、前板部１０３と後板部１０４とが互いに閉じてパッケージ１００が平板状となる。
図４は、前板部１０３と後板部１０４とが互いに閉じた状態を示す図である。
【００１５】
前板部１０３と後板部１０４とが互いに閉じてパッケージ１００が平板形状となることでパッケージ１００の体積が縮小されるので、輸送時や在庫時における収容スペースが縮小され、物流コストも低減される。パッケージ１００の開閉は、開閉脚部１０５の曲げ伸ばしという単純な仕組みで実現されるため、店頭の販売員や物流作業者による理解が容易である。つまり、販売員や作業者は、パッケージ１００の構造理解に時間を掛けることなく、パッケージ１００を適切な形状でフックにかけたり、置いたり、箱詰めしたりすることができる。
図１〜図３に戻って説明を続ける。
前板部１０３および後板部１０４は、切れ目のない単純な板状構造のものであるため、パッケージ１００全体の構造も単純で強度が高い。
【００１６】
前カバー１０６も単純な板状構造を有し、前板部１０３および後板部１０４とともに鳩目１０７によって綴じられている。前カバー１０６は、本考案にいう下垂部の一例に相当する。鳩目１０７の中心はフックがけ用のフック孔１０７ａとなっており、パッケージ１００はフックに掛けられた陳列形態にも対応できる。
【００１７】
商品１０１は、透明な袋１０２に包まれて前カバー１０６と前板部１０３との間につり下げられている。袋１０２は本考案にいう保持部の一例に相当する。前カバー１０６は、商品１０１の過半を覆っているので、透明な袋１０２と共に商品１０１を保護する。逆に、前カバー１０６は、商品１０１の一部が下方に食み出す程度の長さであるため、購買者は、前カバー１０６から出た商品１０１の部分によって商品１０１の外観を確認することができる。更に、購買者は前カバー１０６を持ち上げることで商品１０１の外観を更によく確認することができる。前カバー１０６が商品１０１全体を覆っていないことにより、購買者は、前カバー１０６が持ち上げ可能であることを容易に理解できる。
【００１８】
前カバー１０６は、前板部１０３の面積に対して十分に広い面積を有するため、前カバー１０６の前面を使って商品１０１をアピールすることができる。図１，図２に示す例では、前カバー１０６に商品名１０６ａとイメージ１０６ｂが記載されている。前カバー１０６には、商品名１０６ａやイメージ１０６ｂを大きくインパクトのある表記で記載することができる。イメージ１０６ｂは商品１０１の使用形態や使用感などを購買者に容易に伝えることができるとともに商品１０１をアピールすることができる。
【００１９】
また、前カバー１０６が設けられていることにより、サイズや形状の異なる複数種類の商品１０１であっても、シリーズなどとしての統一されたデザインで購買者にアピールすることができる。
図５は、商品１０１が前板部１０３に直接取り付けられた形態を示す図である。
【００２０】
図５に示す例では、商品１０１が前板部１０３に、例えばゴム紐１０８によって直接取り付けられている。商品１０１は、ゴム紐１０８の他に、結束バンドなどで前板部１０３に取り付けられてもよい。ゴム紐１０８や結束バンドなどは、本考案にいう保持部の一例に相当する。
商品１０１が前板部１０３に直接取り付けられる場合であっても、前カバー１０６が設けられていることによりホコリや摺擦等から商品１０１が保護される。
図６は、パッケージ１００の展開図である。
【００２１】
パッケージ１００は１枚のシート材１０９から形成され、シート材１０９は例えば紙製である。シート材１０９は、本考案にいう『１枚の部材』の一例に相当する。シート材１０９は、前板部１０３と開閉脚部１０５と後板部１０４と前カバー１０６とがこの順で一列に繋がった構造となっており、各部の境界で折り曲げられる。前板部１０３と後板部１０４と前カバー１０６にはフック孔１０７ａがあいていて、後板部１０４と前カバー１０６との間に、各フック孔１０７ａが重なるように前板部１０３が挿入される。更に、図１に示すパッケージ１００の場合には前板部１０３と前カバー１０６との間に、商品１０１が入った袋１０２が挿入され、前カバー１０６から後板部１０４までが鳩目１０７で綴じられる。
【００２２】
なお、上記説明では前板部１０３と後板部１０４が鳩目１０７によって繋がれているが、本考案にいう第１板部と第２板部は鳩目以外の例えば接着剤やステープラなどで繋がれてもよい。
また、上記説明ではフック孔１０７ａを有した例が示されているが、本考案の包装体は、フック孔を有さないものであってもよい。
【００２３】
また、上記説明では、商品１０１の一部が露出する程度の長さを有する前カバー１０６が好適な例として示されているが、本考案にいう下垂部は、商品が露出しない長さを有してもよい。
【符号の説明】
【００２４】
１００    パッケージ（包装体）
１０１    商品
１０２    透明な袋
１０３    前板部
１０４    後板部
１０５    開閉脚部
１０６    前カバー
１０７    鳩目
１０７ａ    フック孔
１０８    ゴム紐
１０９    シート材 
【図１】
0003234865.tif 000003
【図２】
0003234865.tif 000004
【図３】
0003234865.tif 000005
【図４】
0003234865.tif 000006
【図５】
0003234865.tif 000007
【図６】
0003234865.tif 000008